(57)【特許請求の範囲】
【請求項１】
フォームドアスファルトおよびアスファルト乳剤を一つの散布装置で散布する兼用型散布装置であって、瀝青材タンクから第１ストップバルブ、第１三方バルブ、ポンプ、噴霧装置、噴霧量調整用の絞りバルブ、第２三方バルブ、第２ストップバルブを経由して前記瀝青材タンクへと瀝青材を循環するようにした配管と、第１ストップバルブの下流側かつ第１三方バルブの上流側と、第２三方バルブの下流側かつ第２ストップバルブの上流側とをバイパスするストップバルブを設けたバイパス配管と、第２三方バルブから洗浄液タンクおよび洗浄液タンクから第１三方バルブを結ぶ配管と、第２三方バルブからストップバルブを経由し第１三方バルブにいたる管路中に設けた圧縮空気の吹き込み口とで散布装置を構成し、前記噴霧装置は、アスファルトの供給口に加え、水の供給口と空気の供給口を別々にまたは水と空気の両者用の一つの供給口をもつノズルからなり、該散布装置を部分的または全体的に加熱するヒーターを併設したことを特徴とする瀝青材の兼用型散布装置。
【発明の詳細な説明】
【０００１】
【発明の属する技術分野】
本発明は、瀝青材の散布方法に関し、とくに、路上再生路盤工法における瀝青材の散布方法およびその装置に関する。
【０００２】
【従来の技術】
路上再生路盤工法は、路上で既設のアスファルト表層材と路盤材を破砕・混合し、セメントや瀝青材などの安定材を加えてスタビライザーで混合して新たな高耐久性路盤を構築するものである。本工法では瀝青材として、主にアスファルト乳剤とフォームドアスファルトが使用され、それぞれ乳剤方式、フォームド方式の路上再生路盤工法とよばれる。
【０００３】
アスファルト乳剤は常温で液状であるが、フォームド方式に使用するアスファルトは高温で液化するものである。このため、散布方式が異なるものとなり、従来は、スタビライザーを乳剤方式用もしくはフォームド方式用の専用型とするか、スタビライザーに乳剤用とフォームドアスファルト用の両方のノズルと配管を搭載した兼用型としてきた。しかし、専用型では、他の方式の路上再生路盤工法には対応できないため、スタビライザーの稼働率が低いものとなる。また、２つのノズルと２系統の配管を搭載した兼用型では、購入コストが高くなるとともに、スタビライザーが大型化し現場での機動性が劣ることになる。また、使用する瀝青材により瀝青材の散布位置、角度が異なるため、混合性にバラツキが生ずる。
【０００４】
【発明が解決しようとする課題】
本発明は、瀝青材を安定材とする路上再生路盤工法において、スタビライザーの機動性を確保しつつスタビライザーの稼働率を高めて、瀝青材の種類によらずに高い混合性が得られる瀝青材の散布方法およびその装置を提供することを課題とする。
【０００５】
【課題を解決するための手段】
第一の発明は、一つの散布装置で異なる瀝青材を散布することを特徴とする。
第二の発明は、瀝青材の散布作業終了後、散布装置配管内に洗浄液を注入し、注入した洗浄液を散布装置配管内に循環し、洗浄後圧縮空気を併用して洗浄液を散布装置配管内から回収することを特徴とする。
第三の発明は、瀝青材の兼用型散布装置において、瀝青材タンクから第１ストップバルブ、第１三方バルブ、ポンプ、噴霧装置、噴霧量調整用の絞りバルブ、第２三方バルブ、第２ストップバルブを経由して前記瀝青材タンクへと瀝青材を循環するようにした配管と、第１ストップバルブの下流側かつ第１三方バルブの上流側と、第２三方バルブの下流側かつ第２ストップバルブの上流側とをバイパスするストップバルブを設けたバイパス配管と、第２三方バルブから洗浄液タンクおよび洗浄液タンクから第１三方バルブを結ぶ配管と、および、第２三方バルブからストップバルブを経由し第１三方バルブにいたる管路中に設けた圧縮空気の吹き込み口とで散布装置を構成し、該散布装置を部分的または全体的に加熱するヒーターを併設したことを特徴とする。
【０００６】
本発明の方法は異なる瀝青材料を一つの散布装置で散布するものであり、典型的にはノズルと配管とをアスファルト乳剤とフォームドアスファルトに兼用のスタビライザーを用いてそれらの散布を行うものであり、好ましくは前記第三の本発明の散布装置を用いて実施される。
通常のアスファルト散布装置でアスファルト乳剤を散布後、フォームドアスファルトを散布する場合、散布装置管路内に水分が残留していると、加熱アスファルトにより水分が気化膨張し散布装置が暴発する恐れがある。また、フォームドアスファルト散布装置でフォームドアスファルトを散布後、アスファルト乳剤を散布する場合、散布装置内にアスファルトが付着しているとアスファルト乳剤の分解が促進され散布装置内が閉塞しやすくなる。本発明の兼用型瀝青材散布装置によれば、瀝青材を散布後、散布装置内を洗浄液で循環して瀝青分を取り去り、圧縮空気により洗浄液を洗浄液タンクに漏らさず回収することができ、散布装置内には水分や、アスファルト分が残存することがなく、次の瀝青材を散布するに際し何らの支障も発生しない。
【０００７】
【発明の実施の形態】
図１は、本発明の瀝青材散布装置の一例であり、瀝青材タンク１から第１ストップバルブ３、第１三方バルブ４、ポンプ５、噴霧装置７、絞りバルブ９、第２三方バルブ１０および第２ストップバルブ１１を経て瀝青材タンク１を結ぶように配管される。第１ストップバルブの下流側かつ第１三方バルブの上流側と第２三方バルブの下流側かつ第２ストップバルブの上流側に、バイパスライン１９がストップバルブ２０を設けて連結される。また、第２三方バルブ１０と洗浄液タンク１４とが洗浄液戻り管１５と、洗浄液タンク１４と第１三方バルブとが洗浄液供給ライン１３とが配管される。本発明では、さらに散布装置を部分的または全体的に加熱する図示しないヒーターを併設している。ヒーターはフォームドアスファルトを散布する場合は不可欠であるが、アスファルト乳剤等常温の瀝青材の場合には適宜使用することができる。
【０００８】
図２は、瀝青材のタンク循環状態を示したものである。散布する場合は、図１の状態で絞りバルブ９を所定の絞り量とし、ノズル８への図示しないバルブを開いて瀝青材を散布する。図３は絞りバルブを全開した状態の散布時の状態を示したものである。なお、本発明ではノズル８は、閉塞しにくい構造とすべきであって、フォームドアスファルト用の水の供給口と空気の供給口を別々にノズル内に設けるよりも、水と空気供給口は同一とすることが好ましい。水供給口は通常小径であるため、アスファルト乳剤を使用した場合には直ぐにアスファルト乳剤が水供給口に進入するとともに水が分離して水供給口はアスファルトにより閉塞されてしまう。水と空気供給口を同一とした構造では、口径を比較的大きくでき、アスファルトによる閉塞は生じにくいし、圧縮空気を通ずるノズルの清掃も容易である。
【０００９】
瀝青材の散布作業が終了した場合には、ノズルへのバルブを閉じ、絞りバルブ９を全開とし、第１ストップバルブ３を閉じて散布装置配管内に残った瀝青材２２をタンク１に戻す。ある程度瀝青材２２を戻し終わったら、図４に示すように、バイパス１９のストップバルブ２０を開き、第２ストップバルブを閉じるとともに、第１三方バルブ４を三方向に開放する。この状態とすることで洗浄タンク１４から散布装置配管内に洗浄液が流入しかつ洗浄液が散布装置配管内を循環し管内の洗浄が行われる。
【００１０】
瀝青分の洗浄が完了したら、図５に示すように、第１三方バルブ４と洗浄液タンク１４との接続を絶ち、第２三方バルブを洗浄液タンクと接続して洗浄液の循環状態を解消する。ついで、空気バルブ１６を開き空気取入れ口２１より圧縮空気を散布装置の配管内に供給する。ポンプと圧縮空気により洗浄液は洗浄液タンク１４に回収される。圧縮空気の供給により早期に管内の残留水分も除去される。
【００１１】
【発明の効果】
一つの散布装置で異なる瀝青材を散布する瀝青材の兼用型散布方法により、路上再生路盤工法で乳剤方式にもフォームド方式に兼用される機動性あるスタビライザーを使用できることになり、専用型スタビライザーの稼働率の低下という問題が解決されることになった。また、本発明では、瀝青材の種類に係わりなく同一のノズルを使用するから、安定した混合品質の路上再生路盤が得られる。
瀝青材の散布作業終了後、散布装置配管内に洗浄液を注入し、注入した洗浄液を散布装置配管内に循環し、洗浄後圧縮空気を併用して洗浄液を散布装置配管内から回収する瀝青材のの兼用型散布方法により、次回の施工で前回の施工と異なる瀝青材を使用しても散布装置内の閉塞や、配管の暴発といった問題を生じることがなくなり作業性、安全性が改善される。
さらに、瀝青材の兼用型散布装置において、瀝青材タンクから第１ストップバルブ、第１三方バルブ、ポンプ、噴霧装置、噴霧量調整用の絞りバルブ、第２三方バルブ、第２ストップバルブを経由して前記瀝青材タンクへと瀝青材を循環するようにした配管と、第１ストップバルブの下流側かつ第１三方バルブの上流側と、第２三方バルブの下流側かつ第２ストップバルブの上流側とをバイパスするストップバルブを設けたバイパス配管と、第２三方バルブから洗浄液タンク、および洗浄液タンクから第１三方バルブを結ぶ配管と、第２三方バルブからストップバルブを経由し第１三方バルブにいたる管路中に設けた圧縮空気の吹き込み口とで散布装置を構成し、該散布装置を部分的または全体的に加熱するヒーターを併設したことにより、瀝青材の散布システムが大幅にコンパクトなものとなる。
【図面の簡単な説明】
【図１】本発明の瀝青材散布装置の例を示す概略図。
【図２】図１における瀝青材循環時における管路の流れを示す説明図。
【図３】図１における瀝青噴霧時における管路の流れを示す説明図。
【図４】図１における洗浄液循環時における管路の流れを示す説明図。
【図５】図１における圧縮空気供給時における管路の流れを示す説明図。
【符号の説明】
１    瀝青タンク
２，６，１２    管
３    第１ストップバルブ
４    第１三方バルブ
５    ポンプ
７    噴霧装置
８    ノズル
９    絞りバルブ
１０    第２三方バルブ
１１    第２ストップバルブ
１３    洗浄液供給管
１４    洗浄液タンク
１５    洗浄液戻り管
１６    空気バルブ
１７    空気供給管
１８    コンプレッサ
１９    バイパス管
２０    ストップバルブ
２１    空気取入れ口
【図１】
0004212182.tif 000002
【図２】
0004212182.tif 000003
【図３】
0004212182.tif 000004
【図４】
0004212182.tif 000005
【図５】
0004212182.tif 000006